(57)【特許請求の範囲】
【請求項１】
上壁に形成された開口部にホッパが設けられた箱状の機枠と、前記機枠内に配設された上部に開放部を有するとともに側壁に吸引孔が形成された風室と、前記風室内に配設された前記開放部へ向かう空気流を発生するためのファンと、前記風室の前記開放部に着脱自在に設けられた選別盤と、前記風室を揺動自在に支持する揺動機構と、前記ファンおよび前記揺動機構の駆動手段とを備えた石抜き機において、
前記選別盤が、前記空気流を噴出する通風孔とその一側縁から所定の方向に立ち上がる突出片を有し、該突出片の自由端に、前記空気流を垂直方向に流動させるための下向きのリブが設けられていることを特徴とする石抜き機。
【請求項２】
ホッパを一側縁部を回動支点として回動自在に設けることによって開口部を開放できるようにするとともに、機枠の側壁に選別盤をほぼ水平状態で出し入れできる形状の窓を設け、前記窓には該窓の下縁部に回動支点を有し約９０度の角度まで機外側へ開くことができる開閉扉を付設したことを特徴とする請求項１記載の石抜き機。
【請求項３】
選別盤の異物放出用の開口部に、該異物放出用の開口部を常時閉鎖するシャッタを設け、該シャッタを開くための機外から随時操作できる操作部材を機枠に配設したことを特徴とする請求項２記載の石抜き機。
【請求項４】
風室の側壁に形成された吸引孔の開度を調節するための孔を有する風量調節板が前記側壁に沿って上下方向に移動自在に配設されていることを特徴とする請求項１ないし３いずれか１項記載の石抜き機。
【請求項５】
請求項４記載の石抜き機において、前記石抜き機に隣接して、異物を分離済みの穀粒を所定の高さに揚穀する揚穀機が基台上に配設されたことを特徴とする石抜き機。
【発明の詳細な説明】
【０００１】
【発明の属する技術分野】
本発明は、穀粒に混入した小石、金属片、ガラス片等の異物を穀粒から分離するための石抜き機に関するものである。
【０００２】
【従来の技術】
従来、穀粒に混入した小石、金属片、ガラス片等の異物を穀粒から分離するために石抜き機が用いられている。
【０００３】
従来の石抜き機の一例について説明すると、図６に示すように、箱形の機枠１０１内に翼車１０５ａを内設した風室１０５を設け、風室１０５を揺動機構１０７の揺動杆１０７ａ，１０７ｂによって揺動自在に支持するとともに、風室１０５の上方の開放部に選別盤１０２を着脱自在に取り付けたものであって、選別盤１０２の図示左端部の穀粒を放出するための開口部１０２ａには、スプリング１０９によって常時閉鎖するように付勢された開閉弁１０３が設けられており、選別盤１０２を風室１０５の開放部に取り付けた際に、開閉弁１０３のレバー１０３ａが穀粒排出筒１０４の上縁部１０４ａに押圧されて開閉弁１０３が支軸１０３ｂを支点としてスプリング１０９の弾発力に抗して回動して開き、前記異物を分離済みの穀粒が開口部１０２ａより穀粒排出筒１０４へ排出されるように構成されている。
【０００４】
上記石抜き機において、ホッパ１０１ａから投入された前記異物が混入した穀粒は揺動する選別盤１０２上に落下し、翼車１０５ａによって発生された空気流が選別盤１０２の通風孔１１２ａ（図７参照）を通過して上方へ噴出する空気流と選別盤１０２の揺動運動との相互作用によって、穀粒よりも比重の大きな異物は異物排出筒１０８側へ搬送されて異物排出筒１０８を介して機外へ排出され、穀粒は前記開口部１０２ａ側へ流下して穀粒排出筒１０４より機外へ排出される。
【０００５】
ところで、穀粒中には前記異物の外に粉塵が含まれており、この粉塵によって選別盤１０２の通風孔１１２ａが目詰まりして選別効率が低下するため、運転を中断して選別盤１０２を矢印方向へ引き出してこれを清掃する必要があるが、このとき開閉弁１０３のレバー１０３ａが穀粒排出筒１０４の上縁部１０４ａから離間し、スプリング１０９の弾発力により開閉弁１０３が選別盤の開口部１０２ａを閉鎖するため、残留する穀粒が風室１０５内へ落下するのを防止することができる（特公平６−６１５３４号公報）。
【０００６】
図７に示すように、選別盤１０２の各通風孔１１２ａは、穀粒排出側の側縁から異物排出側に向かって立ち上がる突出片１１２ｂの自由端と通風孔１１２ａの異物排出側の側縁との間にスリット１１２ｃを形成し、ここを通って矢印Ｂ0 で示すように空気流が噴出し、該空気流によって穀粒が選別盤１０２から浮き上がり、比重の大きな異物と分離されて、前述のように揺動運動との相互作用により、穀粒排出筒１０４に向かって流下し、異物の方は異物排出筒１０８に向かって上がってゆく。
【０００７】
【発明が解決しようとする課題】
しかしながら上記従来の技術によれば、前述のように、選別盤を通過する空気流が、通風孔の一側縁から異物排出側に向かって立ち上がる突出片の自由端と通風孔の周縁の間に形成されるスリットから噴出される。このスリットは、突出片の自由端が選別盤の表面から突出した位置で横向きに配設されているために、選別される異物の搬送側に向かって斜め上向きに開口している。従って、通風孔から噴出される空気流は、矢印Ｂ0 で示すように異物の搬送方向、すなわち穀粒の搬送方向とは逆向きに流動する。
【０００８】
このように通風孔から噴出する空気流が異物の搬送方向、すなわち穀粒の搬送方向とは逆向きに流動すると、穀粒の流下が妨げられるため、選別盤の清掃等の目的で運転を中断したときに、選別盤上に多量の穀粒が残留する結果となり、メンテナンスの作業効率等が著しく低下する。
【０００９】
本発明は、上記従来の技術の有する問題点に鑑みてなされたものであって、運転を中断したときに選別盤上に残留する穀粒の量を大幅に低減して、選別盤の点検作業や清掃等のメンテナンスの作業効率等を向上できる石抜き機を実現することを目的とする。
【００１０】
【課題を解決するための手段】
上記目的を達成するために、本発明の石抜き機は、上壁に形成された開口部にホッパが設けられた箱状の機枠と、前記機枠内に配設された上部に開放部を有するとともに側壁に吸引孔が形成された風室と、前記風室内に配設された前記開放部へ向かう空気流を発生するためのファンと、前記風室の前記開放部に着脱自在に設けられた選別盤と、前記風室を揺動自在に支持する揺動機構と、前記ファンおよび前記揺動機構の駆動手段とを備えた石抜き機において、前記選別盤が、前記空気流を噴出する通風孔とその一側縁から所定の方向に立ち上がる突出片を有し、該突出片の自由端に、前記空気流を垂直方向に流動させるための下向きのリブが設けられていることを特徴とする。
【００１１】
また、ホッパを一側縁部を回動支点として回動自在に設けることによって開口部を開放できるようにするとともに、機枠の側壁に選別盤をほぼ水平状態で出し入れできる形状の窓を設け、前記窓には該窓の下縁部に回動支点を有し約９０度の角度まで機外側へ開くことができる開閉扉を付設するとよい。
【００１２】
【作用】
選別盤の通風孔から噴出される空気流が穀粒の移送方向と逆向きに流動すると、異物の移送方向に穀粒が吹き上げられる。このように穀粒の流下が妨げられると、石抜き機の運転を中断したときに選別盤上に多量の穀粒が残留する。そこで、選別盤の通風孔の一側縁から立ち上がる突出片の自由端に下向きのリブを配設し、通風孔からほぼ垂直に空気流が流出するように構成する。
【００１３】
選別盤の通風孔から選別盤の上に噴出する空気流がほぼ垂直であれば、空気流によって穀粒の流下が妨げられることなく、異物の上がりも良好である。このようにして、石抜き機の運転を中止したときに選別盤上に残留する穀粒の量を大幅に低減できる。
【００１４】
選別盤のメンテナンス等のために運転を中断したときに選別盤上に残留する穀粒が少ないため、メンテナンスの作業効率等を向上させることができる。
【００１５】
また、請求項２に係る発明によれば、ホッパを回動させて上壁に設けられた開口部を開放して該開口部を通して選別盤の状況を点検したり、着脱作業を行なうことができる。
【００１６】
さらに、選別盤を着脱する際に、機枠の側壁に形成された窓に設けられた開閉扉を機枠の外側へ約９０度の角度まで回動させて開いて水平状態とし、該水平状態の開閉扉を選別盤の受け台兼出し入れ時のガイドとして用いることができる。このため、選別盤をほぼ水平状態で容易に着脱でき、不用意に急角度に傾斜して残留する穀粒が落下するようなことがない。
【００１７】
【発明の実施の形態】
本発明の実施の形態を図面に基づいて説明する。
【００１８】
図１および図２に示すように、本実施例の石抜き機Ｍ1 は、下面に車輪３０ａを有する移動自在な基台３０の上面に配設されており、該石抜き機Ｍ1 に隣接して石抜き機Ｍ1 より放出された異物を分離済みの穀粒を所定の高さまで自動的に揚穀するための揚穀機Ｍ2 が配設されている。
【００１９】
石抜き機Ｍ1 は、長さが短い下半部１ｂと長さが長い上半部１ａからなる長手方向両端部に段差部１ｃ、１ｄを有する箱状の機枠１を備え、その上壁１ｆには開口部１ｇが形成されており、該開口部１ｇの異物放出筒６側の縁部にはヒンジ７ｅを介してホッパ７がその一側縁部である一方のフランジ部７ｂの先端部を回動支点として回動自在に設けられている。このため、後述する選別盤２を含めて機内の状況を点検したり選別盤２を着脱する際に、ホッパ７を図示するように回動させて上壁１ｆに設けられた開口部１ｇを開放し、該開口部１ｇを通して上述した点検や選別盤２の着脱作業を行なうことができる。
【００２０】
なお、本実施例の如く、着脱自在なホッパ７の周囲を取り囲む形状のホッパ外枠７ａを準備しておき、ホッパ７を他方のフランジ部７ｃが上壁側に設けられた受け１ｈに当接する位置まで回動させて、開口部１ｇに装着したのちホッパ外枠７ａをホッパ７の図示上方から載置するようにしておくと、ホッパ７の高さを低くすることができるため、ホッパ７の回動操作が容易になるとともに開口部１ｇの上方空間を大きく開放することができて便利である。
【００２１】
また、一方の段差部１ｃには機枠１に一体的に設けられた異物放出筒６の上端側が連通されており、他方の段差部１ｄには機枠１に一体的に設けられた穀粒放出筒５の上端側が連通されている。加えて、機枠１の上半部１ａにおける一方の側壁には、選別盤２がほぼ水平状態で出し入れできる形状の窓１ｅが形成されており、該窓１ｅにはその下縁部に回動支点を有し約９０度の角度まで機外側へ開く開閉扉１０が取り付けられている。
【００２２】
機枠１の下半部１ｂには、その上方部に風室４が配設されており、風室４の下方部は間隔をおいて設けられた仕切壁３によって覆われている。
【００２３】
図３および図４に示すように、風室４は、上部に開放部４ａを有するとともに側壁には空気を導入するための吸引口４ｂが形成されており、その内部に開放部４ａへ向かう空気流を発生させるためのファン８が配設されているとともに、後述する揺動機構によって揺動自在に支持されている。
【００２４】
また、側壁には、吸引口４ｂを間に挟んで上下方向に延在するガイドレール５１ａ，５１ｂが平行に設けられており、該ガイドレール５１ａ，５１ｂは吸引口４ｂの開度を調節するための孔５０ａを有する風量調節板５０の両側縁部が摺動自在に係合されている。このため風量調節板５０をガイドレール５１ａ，５１ｂに沿って上下方向に移動させることにより吸引口４ｂの開度を調節して風量を変化させることができる。
【００２５】
揺動機構は、機枠１に一体的に設けられた不図示のステー等に一端側が枢軸３７ａ，３８ａによってそれぞれ枢着された一対のスイングアーム３７，３８と、クランク軸３３に偏心ボス３４を介して一端側が連結されたクランク連結プレート３９と、該クランク連結プレート３９の他端側に枢軸３６によって枢着された連結部材３５から構成されたものであって、風室４の側壁に前記一対のスイングアーム３７，３８の他端側をそれぞれ枢軸３７ｂ，３８ｂによって枢着するとともに前記連結部材３５の他端側を固着することにより、風室４を揺動自在に支持する。
【００２６】
また、ファン８および前記揺動機構の駆動手段は、クランク軸３３に固定された図示しないクランク軸プーリと、ファン８のファン軸８ａに固定された図示しないファン軸プーリと、インバータ電動機４０の電動機軸に固定された電動機軸プーリとにかけ回されたベルトからなる。
【００２７】
選別盤２は、図５の（ａ）に示すように、多数の通風孔２ａを有する多孔板１２ａとその周囲をとり囲む側枠１２ｂからなる深さの浅い箱状のものであって、その長手方向両端部近傍には開口部１２ｃ，１２ｄがそれぞれ形成されており、前記風室４の開放部４ａの周縁部に装着したとき両開口部１２ｃ，１２ｄがそれぞれ穀粒放出筒５および異物放出筒６の上方に臨むように構成されている。
【００２８】
選別盤２の各通風孔２ａは、図５の（ｂ）および（ｃ）に示すように、穀粒放出側から異物放出側に向かって立ち上がる突出片２ｂの自由端と通風孔２ａの周縁との間にスリット２ｃを構成するが、突出片２ｂの端縁は下向きに曲折してリブ２ｄを形成しており、このためにスリット２ｃの開口方向が従来例のように斜め上向きではなく、垂直に上向きとなる。従って、スリット２ｃを通って流出する空気流が、矢印Ｂ1 で示すように選別盤２の上面側に垂直に吹き出されて選別盤２上の穀粒を浮上させる。
【００２９】
このように真上に噴出される空気流によって穀粒を選別盤２から浮上させる一方で、選別盤２の揺動運動により、比重の大きい異物を異物排出側の開口部１２ｄに向かって搬送する。空気流が通風孔２ａから真上に吹き出されるため、穀粒が異物の搬送方向に流されることなく、速やかに穀粒排出側の開口部１２ｃに流下する。
【００３０】
穀粒に含まれる異物を効率よく分離して異物排出側の開口部１２ｄに搬送し、かつ、異物を除去した穀粒の回収も極めてスムーズに行なわれるため、石抜き機の運転効率が向上するとともに、選別盤２の点検、清掃等のメンテナンスの目的で運転を中断したときに選別盤２の上に残留する穀粒の量を大幅に低減できる。これによって、メンテナンスの作業効率等を改善できる。
【００３１】
シャッタ３１は図２に示すように、異物放出用の開口部１２ｄ全体を閉鎖する形状の本体３１ａと、その上部に選別盤２の外方へ突出するレバー３１ｂを備え、本体３１ａの下角隅部が枢支軸（不図示）を介して選別盤２の側枠１２ｂに枢着されており、自重またはスプリング等により選別盤２の異物放出用の開口部１２ｄを常時閉鎖するように構成されている。他方、機枠１の上壁１ｆには、下端に前記レバー３１ｂに当接する板状の当接部を有する操作部材３２が上下動自在に設けられ、その頭部３２ｂと上壁１ｆの間にスプリング３２ｃを介在させることにより、常時反矢印方向（上壁１ｆ側）へ上昇するように付勢されている。このため、操作部材３２の頭部３２ｂを手動または流体圧シリンダのピストン等により矢印方向へ押し下げると、当接部３２ａがレバー３１ｂに当接してこれを押し下げてシャッタ３１を図示時計回りに回動させるので異物放出用の開口部１２ｄが開放され、選別盤２上の開口部１２ｄ近傍に溜まった前記異物を放出することができる。つまり、機枠にはシャッタを開くための機外から随時操作できる操作部材が設けられている。
【００３２】
揚穀機Ｍ2 は、下方部位にホッパ２５が連通されているとともに、上方部位に放出筒２２の一端側が連通された揚穀筒２１を備え、該揚穀筒２１内には、ホッパ２５から導入された前記異物を分離済みの穀粒を上方へ搬送して放出筒２２を通して機外へ放出するための公知のバケットコンベア２４が配設されたものである。該バケットコンベア２４は公知のものでよく、下方部の２段プーリ２８と上方部のプーリ２９とにかけ回されたベルト２７により回転駆動力が伝動されて矢印方向に回転する。
【００３３】
なお、放出筒２２の放出口部には必要に応じて可撓管２３を装着すると、袋詰めおよび計量作業を容易に行なうことができる。
【００３４】
次に、本実施例の動作について図１および図２を参照して説明する。
【００３５】
ホッパ７より投入された前記異物が混入した穀粒は、前記揺動機構によって揺動される選別盤２上に落下し、前記通風孔２ａを通過して上方へ噴出する空気流と選別盤２の揺動運動の相互作用によって穀粒より比重の大きな前記異物を穀粒から分離し、該異物は矢印Ａ方向へ搬送されて異物放出用の開口部１２ｄの近傍に溜まり、異物を分離済みの穀粒は矢印Ａ方向と逆方向に流下されて穀粒放出筒５より機外へ放出される。
【００３６】
前述のように、選別盤２の通風孔２ａが真上に空気流を噴出するように構成されているため、異物を分離済みの穀粒が異物の搬送方向に上昇することなく、極めてスムーズに穀粒放出筒５に向かって流下される。
【００３７】
穀粒放出筒５より機外へ放出された異物を分離済みの穀粒は、揚穀機Ｍ2 のホッパ２５へ落下して導入口２１ａより揚穀筒２１内に入り、バケットコンベア２４により揚穀されて放出筒２２より放出されるが、この揚穀機Ｍ2 は予め袋詰めや計量等の作業に便利な高さに設定されているため、袋詰めや計量等の作業を容易に行なうことができる。
【００３８】
他方、選別盤２の異物放出用の開口部１２ｄの近傍に所定量の前記異物が溜まると、操作部材３２を押し下げその当接部３２ａでレバー３１ｂを押し下げることによりシャッタ３１を時計回りに回動させて異物放出用の開口部１２ｄを開放し、前記異物を異物放出筒６を通して機外へ排出する。
【００３９】
【発明の効果】
本発明は上述のとおり構成されているので、次に記載するような効果を奏する。
【００４０】
選別盤のメンテナンス等のために運転を中断したときに選別盤上に残留する穀粒の量を大幅に低減し、メンテナンスの作業効率等を向上できる。
【００４１】
また、請求項２に係る発明によれば、ホッパを回動させて上壁に設けられた開口部を開放し、該開口部を通して選別機内の状況を点検したり、選別盤の着脱作業を行なうことができる。
【００４２】
さらに、選別盤を着脱する際に、開閉扉を約９０度の角度まで機外側へ開き、該開閉扉を支持台兼ガイドとして利用し、その上面で選別盤をスライドさせてほぼ水平状態で着脱することができる。その結果、選別盤が不用意に傾いてその内部に残留する穀粒が風室等へ落下するおそれがなくなるとともに、着脱作業も容易に行なうことができる。
【図面の簡単な説明】
【図１】本発明の石抜き機の一実施例を示す模式斜視図である。
【図２】図１に示す石抜き機の模式断面図である。
【図３】図１に示す石抜き機を揺動機構が設けられた側からみた説明図である。
【図４】図１に示す石抜き機の風室および揺動機構を示す部分斜視図である。
【図５】図１に示す石抜き機の選別盤を示すもので、（ａ）はその斜視図、（ｂ）は（ａ）の一部分を拡大して示す拡大部分斜視図、（ｃ）は（ｂ）のＡ−Ａ線に沿ってとった通風孔を示す断面図である。
【図６】従来の石抜き機を示し、（ａ）はその模式断面図、（ｂ）はその主要部の模式拡大断面図である。
【図７】図６の装置の選別盤を示すもので、（ａ）はその斜視図、（ｂ）は（ａ）の一部分を拡大して示す拡大部分斜視図、（ｃ）は（ｂ）のＡ−Ａ線に沿ってとった通風孔を示す断面図である。
【符号の説明】
１    機枠
１ａ    上半部
１ｂ    下半部
１ｃ，１ｄ    段差部
１ｅ    窓
１ｆ    上壁
１ｇ，１２ｃ，１２ｄ    開口部
１ｈ    受け
２    選別盤
２ａ      通風孔
２ｂ    突出片
２ｃ    スリット
２ｄ    リブ
１２ａ    多孔板
１２ｂ    側枠
３    仕切壁
４    風室
４ａ    開放部
４ｂ    吸引口
５    穀粒放出筒
６    異物放出筒
７，２５    ホッパ
７ａ    ホッパ外枠
７ｂ，７ｃ    フランジ部
８    ファン
８ａ    ファン軸
１０    開閉扉
２１    揚穀筒
２１ａ    導入口
２２    放出筒
２３    可撓管
２４    バケットコンベア
２６    電動機
２６ａ，２９    プーリ
２７    ベルト
２８    ２段プーリ
３０    基台
３０ａ    車輪
３１    シャッタ
３１ａ    本体
３１ｂ    レバー
３２    操作部材
３２ａ    当接部
３２ｂ    頭部
３２ｃ    スプリング
３３    クランク軸
３４    偏心ボス
３５    連結部材
３６，３７ａ，３８ａ，３７ｂ，３８ｂ    枢軸
３７，３８    スイングアーム
３９    クランク連結プレート
４０    インバータ電動機
５０    風量調節板
５０ａ    孔
【図１】
0003877869.tif 000002
【図２】
0003877869.tif 000003
【図３】
0003877869.tif 000004
【図４】
0003877869.tif 000005
【図５】
0003877869.tif 000006
【図６】
0003877869.tif 000007
【図７】
0003877869.tif 000008